(57)【要約】【課題】ユーザに関連する情報を当該ユーザが所望する家電に出力させることが可能な制御システムを提供する。【解決手段】制御システム１は、体重計１０３を利用した個人認証によって特定された個人に関連する関連情報を、宅内の複数の家電３００の中から指定された家電３００である操作パネル３０９に出力させる。【選択図】図２
2016001840.tif 000002
【特許請求の範囲】
【請求項１】
第１の電子機器を利用した個人認証によって特定された個人に関連する第１の情報を、宅内の複数の家電の中から指定された第１の家電に出力させる、制御システム。
【請求項２】
前記第１の電子機器は、体重計であって、
前記制御システムは、前記体重計による測定結果に基づいて前記個人認証を行なう、請求項１に記載の制御システム。
【請求項３】
前記体重計は、トイレに設置されている、請求項２に記載の制御システム。
【請求項４】
前記第１の家電はトイレの外に設置されている、請求項３に記載の制御システム。
【請求項５】
前記制御システムは、前記第１の電子機器と、前記第１の家電と、前記第１の電子機器を利用した個人認証を行なうサーバ装置とを備え、
前記サーバ装置は、
前記第１の電子機器と前記第１の家電とを対応付けた第２の情報を記憶しており、
前記第１の電子機器を利用した個人認証が行われた場合には、前記第２の情報において前記第１の電子機器に対応付けられた前記第１の家電に、前記第１の情報を出力させる、請求項１から４のいずれか１項に記載の制御システム。
【請求項６】
前記サーバ装置は、複数の前記第１の情報を予め記憶しており、
前記複数の第１の情報の各々は、前記個人を識別するための識別子に対応付けられており、
前記サーバ装置は、前記第１の電子機器を用いた個人認証が行われた場合には、前記個人認証によって特定された個人の前記識別子に対応付けられた前記第１の情報を、前記第１の家電に出力させる、請求項５に記載の制御システム。
【請求項７】
前記サーバ装置は、
前記特定された個人のスケジュールを表したスケジュール情報をさらに記憶しており、
前記複数の第１の情報の中から、前記スケジュール情報に基づいて、前記第１の家電に出力させる前記第１の情報を選択する、請求項６に記載の制御システム。
【請求項８】
第２の電子機器を利用した個人認証によって特定された個人に関連する第１の情報を、前記複数の家電の中から指定された第２の家電に出力させる、請求項１から４のいずれか１項に記載の制御システム。
【請求項９】
前記制御システムは、前記第１の電子機器と、前記第１の家電と、前記第２の電子機器と、前記第２の家電と、前記第１の電子機器を利用した個人認証および前記第２の電子機器を利用した個人認証を行なうサーバ装置とを備え、
前記サーバ装置は、
前記第１の電子機器と前記第１の家電とを対応付けるとともに、前記第２の電子機器と前記第２の家電とを対応付けた第２の情報を記憶しており、
前記第１の電子機器を利用した個人認証が行われた場合には、前記第２の情報において前記第１の電子機器に対応付けられた前記第１の家電に、前記第１の情報を出力させ、
前記第２の電子機器を利用した個人認証が行われた場合には、前記第２の情報において前記第２の電子機器に対応付けられた前記第２の家電に、前記第１の情報を出力させる、請求項８に記載の制御システム。
【請求項１０】
前記サーバ装置は、
前記複数の第１の情報の各々について、当該第１の情報を他人に非公開にすることを設定するための入力を受け付けることが可能であって、
前記第１の電子機器を用いた個人認証が行われた場合には、前記個人認証によって特定された個人の前記識別子に対応付けられた前記第１の情報を非公開にする設定となっていないことを条件に、当該第１の情報を前記第１の家電に出力させる、請求項６または７に記載の制御システム。
【請求項１１】
前記第１の電子機器は、トイレに設置された体重計であって、
前記制御システムは、前記体重計による測定結果に基づいて前記個人認証を行ない、
前記第１の家電は、前記トイレの外に設置されている、請求項１０に記載の制御システム。
【請求項１２】
前記第１の電子機器を利用した個人認証によって特定された個人に関連する第１の情報を、前記第１の家電と、前記複数の家電の中から指定された第３の家電とに出力させる、請求項１から１１のいずれか１項に記載の制御システム。
【請求項１３】
電子機器を利用した個人認証によって特定された個人に関連する情報を宅内の複数の家電の中から指定された家電に出力させる制御システムにおける前記複数の家電を制御するサーバ装置。
【請求項１４】
電子機器を利用した個人認証によって特定された個人に関連する情報を宅内の複数の家電の中から指定された家電に出力させる制御システムにおける家電。
【請求項１５】
電子機器を利用した個人認証によって特定された個人に関連する情報を宅内の複数の家電の中から指定された家電に出力させる制御方法。
【請求項１６】
電子機器を利用した個人認証によって特定された個人に関連する情報を宅内の複数の家電の中から指定された家電に出力させるためのプログラム。
【発明の詳細な説明】
【技術分野】
【０００１】
本発明は、制御システム、制御システムを構成するサーバ装置、制御システムを構成する家電、家電の制御方法、および家電を制御するためのプログラムに関する。
【背景技術】
【０００２】
従来、各種の設備を備えたトイレットルームが知られている。たとえば、特許文献１には、上記設備の１つとして、特許文献１には、時間帯、季節、気温、または使用者の個人情報に応じてトイレットルームに流す音楽の種類または音量を変更可能なトイレ音響設備が開示されている。具体的には、トイレ音響設備は、トイレットルームの使用者を指紋認証装置で識別し、使用者に応じて音楽を流す。なお、トイレ音響設備は、個人情報として、使用者と当該使用者が選択した音楽とを予め対応付けてメモリに記憶している。
【先行技術文献】
【特許文献】
【０００３】
【特許文献１】特開２００２−１４３０３９号公報
【発明の概要】
【発明が解決しようとする課題】
【０００４】
しかしながら、特許文献１の構成では、指紋認証装置を利用した個人認証によって特定された個人に予め対応付けられている音楽を、トイレットルーム内のスピーカから出力させることができるに過ぎない。つまり、特許文献１の構成では、音楽の出力はトイレットルーム内に限定される。
【０００５】
本願発明は、上記の問題点に鑑みなされたものであって、その目的は、ユーザに関連する情報を当該ユーザが所望する家電に出力させることが可能な制御システム、サーバ装置、家電、制御方法、およびプログラムを提供することにある。
【課題を解決するための手段】
【０００６】
本発明のある局面に従うと、制御システムは、第１の電子機器を利用した個人認証によって特定された個人に関連する第１の情報を、宅内の複数の家電の中から指定された第１の家電に出力させる。
【０００７】
好ましくは、第１の電子機器は、体重計である。制御システムは、体重計による測定結果に基づいて個人認証を行なう。
【０００８】
好ましくは、体重計は、トイレに設置されている。
好ましくは、第１の家電はトイレの外に設置されている。
【０００９】
好ましくは、制御システムは、第１の電子機器と、第１の家電と、第１の電子機器を利用した個人認証を行なうサーバ装置とを備える。サーバ装置は、第１の電子機器と第１の家電とを対応付けた第２の情報を記憶している。サーバ装置は、第１の電子機器を利用した個人認証が行われた場合には、第２の情報において第１の電子機器に対応付けられた第１の家電に、第１の情報を出力させる。
【００１０】
好ましくは、サーバ装置は、複数の第１の情報を予め記憶している。複数の第１の情報の各々は、個人を識別するための識別子に対応付けられている。サーバ装置は、第１の電子機器を用いた個人認証が行われた場合には、個人認証によって特定された個人の識別子に対応付けられた第１の情報を、第１の家電に出力させる。
【００１１】
好ましくは、サーバ装置は、特定された個人のスケジュールを表したスケジュール情報をさらに記憶している。サーバ装置は、複数の第１の情報の中から、スケジュール情報に基づいて、第１の家電に出力させる第１の情報を選択する。
【００１２】
好ましくは、制御システムは、第２の電子機器を利用した個人認証によって特定された個人に関連する第１の情報を、複数の家電の中から指定された第２の家電に出力させる。
【００１３】
好ましくは、制御システムは、第１の電子機器と、第１の家電と、第２の電子機器と、第２の家電と、第１の電子機器を利用した個人認証および第２の電子機器を利用した個人認証を行なうサーバ装置とを備える。サーバ装置は、第１の電子機器と第１の家電とを対応付けるとともに、第２の電子機器と第２の家電とを対応付けた第２の情報を記憶している。サーバ装置は、第１の電子機器を利用した個人認証が行われた場合には、第２の情報において第１の電子機器に対応付けられた第１の家電に、第１の情報を出力させる。サーバ装置は、第２の電子機器を利用した個人認証が行われた場合には、第２の情報において第２の電子機器に対応付けられた第２の家電に、第１の情報を出力させる。
【００１４】
好ましくは、サーバ装置は、複数の第１の情報の各々について、当該第１の情報を他人に非公開にすることを設定するための入力を受け付けることが可能である。サーバ装置は、第１の電子機器を用いた個人認証が行われた場合には、個人認証によって特定された個人の識別子に対応付けられた第１の情報を非公開にする設定となっていないことを条件に、当該第１の情報を第１の家電に出力させる。
【００１５】
好ましくは、第１の電子機器は、トイレに設置された体重計である。制御システムは、体重計による測定結果に基づいて個人認証を行なう。第１の家電は、トイレの外に設置されている。
【００１６】
好ましくは、制御システムは、第１の電子機器を利用した個人認証によって特定された個人に関連する第１の情報を、第１の家電と、複数の家電の中から指定された第３の家電とに出力させる。
【００１７】
本発明の他の局面に従うと、サーバ装置は、電子機器を利用した個人認証によって特定された個人に関連する情報を宅内の複数の家電の中から指定された家電に出力させる制御システムにおいて複数の家電を制御する。
【００１８】
本発明のさらに他の局面に従うと、家電は、電子機器を利用した個人認証によって特定された個人に関連する情報を宅内の複数の家電の中から指定された家電に出力させる制御システムに含まれる。
【００１９】
本発明のさらに他の局面に従うと、制御方法は、電子機器を利用した個人認証によって特定された個人に関連する情報を宅内の複数の家電の中から指定された家電に出力させる。
【００２０】
本発明のさらに他の局面に従うと、プログラムは、電子機器を利用した個人認証によって特定された個人に関連する情報を宅内の複数の家電の中から指定された家電に出力させる。
【発明の効果】
【００２１】
上記の発明によれば、ユーザに関連する情報を当該ユーザが所望する家電に出力させることが可能となる。
【図面の簡単な説明】
【００２２】
【図１】本実施の形態に係る制御システム１の概略構成を説明するための図である。
【図２】制御システム１における処理の流れを説明するためのシーケンスチャートである。
【図３】個人認証を行なう際に用いる身体情報Ｄ３の概要を説明するための図である。
【図４】体重計と制御する家電との対応付けを表したペアリング情報Ｄ４の概要を説明するための図である。
【図５】家族の各人スケジュールを表したスケジュール情報Ｄ５の概要を説明するための図である。
【図６】関連情報を記憶したデータテーブルＤ６の概要を説明するための図である。
【図７】サーバ装置２００の機能的構成を説明するための機能ブロック図である。
【図８】サーバ装置２００の処理の流れを説明するためのフローチャートである。
【図９】サーバ装置２００のハードウェア構成の典型例を表した図である。
【発明を実施するための形態】
【００２３】
以下、図面を参照しつつ、本発明の各実施の形態に係る制御システムについて説明する。また、以下の説明では、同一の部材には同一の参照符号を付してある。それらの名称および機能も同じである。したがって、それらについての詳細な説明は繰り返さない。
［実施の形態１］
＜Ａ．システム構成＞
図１は、本実施の形態に係る制御システム１の概略構成を説明するための図である。図１を参照して、制御システム１は、トイレユニット１００と、サーバ装置２００と、複数の家電（正式には、「家庭用電気器具」）と、体重計４０３とを備える。トイレユニット１００は、便器１０１と、体重計１０３と、操作パネル３０９とを備える。
【００２４】
以下では、操作パネル３０９も家庭用電気器具であることから、操作パネル３０９を１つの家電として説明する。図１においては、典型的な家電の例として、操作パネル３０９以外に、エアーコンディショナ３０１と、照明器具３０２と、テレビ３０３と、電子レンジ３０４と、冷蔵庫３０５とを記載している。以下では、エアーコンディショナ３０１、照明器具３０２、テレビ３０３、電子レンジ３０４、冷蔵庫３０５、および操作パネル３０９のいずれか１つを区別せずに指す場合には、「家電３００」と称する。
【００２５】
操作パネル３０９は、ユーザの操作（たとえば、ウォシュレット（登録商標）操作）を受け付けるとともに、各種の情報を表示可能である。また、操作パネルは、スピーカを備え、音声が出力できるように構成されている。
【００２６】
体重計１０３は、体重および体脂肪を測定する。体重計１０３は、測定値（体重および体脂肪）をサーバ装置２００に送信する。詳しくは、体重計１０３は、体重計１０３を識別するための識別情報とともに、測定値をサーバ装置２００に送信する。体重計１０３は、トイレユニット１００の床に設置されており、トイレマットとしても機能する。なお、体重計１０３は、床に埋め込まれていてもよい。
【００２７】
玄関扉４０１は、扉の開閉操作を検知する機能を有する。玄関扉４０１は、検知結果をサーバ装置２００に送信する。
【００２８】
体重計４０３は、体重計１０３と同様、体重および体脂肪を測定する。体重計４０３は、測定値（体重および体脂肪）をサーバ装置２００に送信する。詳しくは、体重計４０３は、体重計４０３を識別するための識別情報とともに、測定値をサーバ装置２００に送信する。体重計４０３は、玄関４００の室内床４０２に設置されている。体重計４０３は、玄関マットとしても機能する。なお、体重計４０３は、室内床４０２に埋め込まれていてもよい。
【００２９】
サーバ装置２００は、操作パネル３０９と、体重計１０３と、玄関扉４０１と、体重計４０３と通信可能に接続されている。
【００３０】
サーバ装置２００は、体重計１０３からの出力に基づき、トイレユニット１００の使用者を特定する。すなわち、サーバ装置２００は、測定された体重と予め記憶されている各人の体重とを比較することにより、個人認証を行なう。
【００３１】
また、サーバ装置２００は、玄関扉４０１からの出力に基づき、玄関扉４０１のタイミングを検知する。
【００３２】
さらに、サーバ装置２００は、体重計４０３からの出力に基づき、玄関４００の利用者を特定する。すなわち、サーバ装置２００は、測定された体重と予め記憶されている各人の体重とを比較することにより、個人認証を行なう。
【００３３】
また、サーバ装置２００は、体重計１０３を利用した個人認証によって特定された個人に関連する情報を、宅内の複数の家電３００の中から指定された家電３００（本実施の形態では操作パネル３０９）に出力させる。さらに、サーバ装置２００は、体重計４０３を利用した個人認証によって特定された個人に関連する情報を、宅内の複数の家電３００の中から指定された家電３００（本実施の形態では冷蔵庫３０５）に出力させる。なお、上述した家電３００の指定は、典型的には、ユーザが有するスマートフォン等の携帯端末装置からの指令（ユーザ操作に基づく指令）により行われる。また、情報の出力は、音声による出力であってもよいし、表示による出力であってもよい。
【００３４】
一例として、トイレユニット１００の体重計１０３による測定結果により、サーバ装置２００が、個人認証によって父親を特定した場合、父親に関連する情報を操作パネル３０９に報知させる制御を行なう。他の例として、玄関４００の体重計４０３による測定結果により、サーバ装置２００が、個人認証によって母親を特定した場合、母親に関連する情報を冷蔵庫３０５に報知させる制御を行なう。詳しくは、玄関扉４０１の開閉があった後に、体重計４０３による測定が行われたことに基づき、サーバ装置２００は、母親に関連する情報を冷蔵庫３０５に報知させる。典型的には、冷蔵庫３０５は、冷蔵庫３０５の扉が開いたことをトリガとして、当該報知を行なう。あるいは、冷蔵庫３０５は、冷蔵庫３０５に設けられたボタン（図示せず）が押されたことをトリガとして、当該報知を行ってもよい。
【００３５】
このような構成によれば、ユーザ（個人）に関連する情報を当該ユーザが所望する家電３００に出力させることができる。個人に関連する情報（以下、「関連情報」とも称する）の詳細については後述する。
【００３６】
なお、サーバ装置２００は、１つの装置として記載しているが、複数の装置で構成されていてもよい。また、当該複数の装置の一部は、宅内に備えられていなくてもよい。一例として、サーバ装置２００を、宅内サーバと、宅内サーバに通信可能に接続された外部サーバと、ＨＥＭＳコントローラとで構成してもよい。
【００３７】
＜Ｂ．処理の概要＞
図２は、制御システム１における処理の流れを説明するためのシーケンスチャートである。図２を参照して、シーケンスＳＱ２において、体重計１０３または体重計４０３は、体重および体脂肪の測定を行なう。シーケンスＳＱ４において、体重計１０３，４０３は、測定値をサーバ装置２００に送信する。シーケンスＳＱ６において、サーバ装置２００は、測定値を用いて個人認証を行なう。
【００３８】
シーケンスＳＱ８において、サーバ装置２００は、個人認証の結果に基づき、制御する家電３００および出力させる関連情報を選択する。たとえば、サーバ装置２００は、測定値を体重計１０３から取得した場合、複数の家電３００の中から制御対象として操作パネル３０９を選択する。また、サーバ装置２００は、測定値を体重計４０３から取得した場合、制御対象として冷蔵庫３０５を選択する。出力させる関連情報は、個人に関連する情報である。当該関連情報の詳細については後述する（図６参照）。
【００３９】
シーケンスＳＱ１０において、サーバ装置２００は、選択された家電３００に対して、選択された関連情報を出力させるための制御命令を送信する。シーケンスＳＱ１２において、制御命令を受信した家電３００は、受信した制御命令に基づき、サーバ装置２００において選択された関連情報を出力する。たとえば、家電３００は、音声で関連情報を読み上げる。
【００４０】
＜Ｃ．データ構造＞
次に、サーバ装置２００に記憶されている、各種の情報Ｄ３，Ｄ４，Ｄ５およびデータテーブルＤ６の概要について、図３から図６に基づいて説明する。あわせて、これらの情報Ｄ３，Ｄ４，Ｄ５およびデータテーブルＤ６の利用方法についても説明する。
【００４１】
図３は、個人認証を行なう際に用いる身体情報Ｄ３の概要を説明するための図である。図３を参照して、身体情報Ｄ３においては、家族の各人と、体重および体脂肪率とが予め対応付けられている。サーバ装置２００は、体重計１０３，４０３から測定値を受信すると、当該測定値と、身体情報Ｄ３における体重および体脂肪率とを比較にして、家族の中から個人を特定する。なお、サーバ装置２００は、個人認証が行われた後に受信した測定値を用いて、身体情報Ｄ３における各値を更新してもよい。
【００４２】
図４は、体重計と制御する家電との対応付けを表したペアリング情報Ｄ４の概要を説明するための図である。図４を参照して、ペアリング情報Ｄ４においては、宅内の体重計の識別情報（以下、「体重計ＩＤ」と称する）と宅内の家電３００の識別情報（以下、「家電ＩＤ」とも称する）とが対応付けられている。
【００４３】
図４においては、トイレユニット１００内の体重計１０３の識別情報“Ｗ０１”と、操作パネル３０９の識別情報“Ｅ０９”とが対応付けられており、玄関４００の体重計４０３の識別情報“Ｗ０２”と、冷蔵庫３０５の識別情報“Ｅ０５”とが対応付けられている。
【００４４】
サーバ装置２００は、測定値とともに体重計ＩＤ“Ｗ０１”を受信した場合には、ペアリング情報Ｄ４に基づき、制御する家電３００として操作パネル３０９を選択する。また、サーバ装置２００は、測定値とともに体重計ＩＤ“Ｗ０２”を受信した場合には、ペアリング情報Ｄ４に基づき、制御する家電３００として冷蔵庫３０５を選択する。
【００４５】
上記の対応付けは、典型的には、宅内のユーザにより行われる。具体的には、一例として、当該対応付けは、ユーザが有するスマートフォン等の携帯端末装置からの指示により行われる。詳しくは、当該対応付けは、ユーザが携帯端末装置に表示された画面において家電を指定することにより行われる。
【００４６】
図５は、家族の各人スケジュールを表したスケジュール情報Ｄ５の概要を説明するための図である。図５を参照して、スケジュール情報Ｄ５においては、家族の各人（父親、母親、子供）のスケジュールが記憶されている。サーバ装置２００は、典型的には、各人のスマートフォン等の携帯端末装置（図示せず）から各人のスケジュールを取得する。
【００４７】
スケジュール情報Ｄ５においては、各人のスケジュールは、日時と項目とで構成されている。たとえば、スケジュール情報においては、父親に着目すると、１月１０日の８時から２０時までの間が、「出張中」として登録されている。
【００４８】
サーバ装置２００は、現在の日時と、体重計１０３，４０３から測定値を受信した時刻と、個人認証の結果とに基づき、スケジュール情報Ｄ５から項目を選択する。たとえば、現在の日時が１月１１日であって、体重計１０３から測定値を受信した時刻が午前７時であるとする。さらに、サーバ装置２００が、当該測定値と身体情報Ｄ３とに基づき、体重計１０３に乗ったのが父親であると判断したとする。この場合、サーバ装置２００は、スケジュール情報Ｄ５に基づき、１月１１日の午前７時前後の項目であって、かつ父親に関する項目を選択する。具体的には、サーバ装置２００は、父親に関する複数の項目から「会議」を選択する。
【００４９】
サーバ装置２００は、典型的には、選択された項目と、選択された項目が現在の日時よりも前であるかあるいは後であるかを表した情報と、個人認証の結果と、後述するデータテーブルＤ６とを用いて、家電３００に出力させる内容を決定する。なお、サーバ装置２００は、上述したとおり、関連情報を出力させる家電をペアリング情報Ｄ４によって決定する。
【００５０】
なお、サーバ装置２００は、項目によっては、現在の日時よりも前であるかあるいは後であるかを表した情報の代わりに、指定された時間または時間帯を表した情報を用いてもよい。たとえば、「ゴミの日」という項目に関しては、「06：00〜08：00」といった時間帯を指定可能に、サーバ装置２００を構成してもよい。
【００５１】
図６は、関連情報を記憶したデータテーブルＤ６の概要を説明するための図である。図６を参照して、データテーブルＤ６においては、家族の各人と項目とに対応付けた状態で関連情報が複数記憶されている。つまり、複数の関連情報の各々は、個人を識別するための識別子と、項目とに対応付けられている。なお、項目については、項目の前と後とで家電３００から出力させる関連情報を異ならせることが可能となるように、項目の前と後とで個別に関連情報が記憶されている。
【００５２】
たとえば、サーバ装置２００は、上述した処理によって父親に関する複数の項目から「会議」を選択した場合、選択された項目の開始時刻（午前９時）が現在の日時（午前７時）よりも前であるため、関連情報として「会議、頑張ってね！」を選択する。
【００５３】
サーバ装置２００は、選択された関連情報を、ペアリング情報Ｄ４に基づいて選択した家電３００から出力させる。
【００５４】
＜Ｄ．機能的構成＞
図７は、サーバ装置２００の機能的構成を説明するための機能ブロック図である。図７を参照して、サーバ装置２００は、時計２０１と、記憶部２０２と、受信部２０３と、個人認証部２０４と、選択部２０５と、送信先特定部２０６と、制御命令生成部２０７と、送信部２０８とを備える。
【００５５】
時計２０１は、日時を計時し、選択部２０５に出力する。記憶部２０２は、身体情報Ｄ３と、ペアリング情報Ｄ４と、スケジュール情報Ｄ５と、データテーブルＤ６とを記憶している。
【００５６】
受信部２０３は、体重計１０３，４０３から、体重計ＩＤとともに、測定値（体重および体脂肪率）を受信する。受信部２０３は、受信した識別情報および測定値を個人認証部２０４に送る。
【００５７】
個人認証部２０４は、受信した測定値と、身体情報Ｄ３とを用いて、個人認証を行なう。個人認証部２０４は、認証結果と受信した体重計ＩＤとを、選択部２０５に送る。
【００５８】
選択部２０５は、受け付けた体重計ＩＤを送信先特定部２０６に送る。選択部２０５は、認証結果と現在時刻とを用いて、スケジュール情報Ｄ５における項目を選択する。選択部２０５は、選択された項目と認証結果とを用いて、データテーブルＤ６における関連情報（たとえば、「会議、頑張ってね！」）を選択する。選択部２０５は、選択した関連情報を、制御命令生成部２０７に送る。
【００５９】
送信先特定部２０６は、受け付けた体重計ＩＤとペアリング情報Ｄ４と用いて、関連情報を出力させる家電３００を特定する。たとえば、送信先特定部２０６は、体重計ＩＤ“Ｗ０２”を選択部２０５から受け付けた場合には、ペアリング情報Ｄ４を参照して、家電ＩＤ“Ｅ０５”の冷蔵庫３０５を、関連情報を出力させる家電３００とする。
【００６０】
送信先特定部２０６は、特定した家電３００のアドレスを送信部２０８に伝える。具体的には、各家電３００のアドレスは、記憶部２０２に予め格納されている。送信先特定部２０６は、特定した家電３００についてのアドレスを記憶部２０２から取得し、送信部２０８に取得されたアドレスを通知する。
【００６１】
制御命令生成部２０７は、選択部２０５から受け付けた関連情報を出力させるための制御命令を生成する。制御命令生成部２０７は、生成された制御命令を送信部２０８に送る。
【００６２】
送信部２０８は、制御命令生成部２０７から受け付けた制御命令を、送信先特定部２０６から受け付けたアドレスの家電３００に送信する。
【００６３】
＜Ｅ．制御構造＞
図８は、サーバ装置２００の処理の流れを説明するためのフローチャートである。図８を参照して、ステップＳ２において、サーバ装置２００は、体重および体脂肪率（測定値）を体重計から受信する。ステップＳ４において、サーバ装置２００は、測定値と、身体情報Ｄ３とに基づき、個人を認証可能（特定可能）できたか否かを判断する。
【００６４】
サーバ装置２００は、個人を認証できたと判断された場合（ステップＳ４においてＹＥＳ）、ステップＳ６において、現在の日時と、スケジュール情報Ｄ５と、データテーブルＤ６とに基づいて、出力させる関連情報をデータテーブルＤ６から選択する。なお、サーバ装置２００は、個人を認証できなかったと判断された場合（ステップＳ４においてＮＯ）、一連の処理を終了する。
【００６５】
ステップＳ８において、サーバ装置２００は、測定値をトイレユニット１００の体重計１０３から受信したか否かを、測定値とともに受信した体重計ＩＤに基づき判断する。
【００６６】
サーバ装置２００は、体重計１０３から受信したと判断された場合（ステップＳ８においてＹＥＳ）、ステップＳ１０において、ペアリング情報Ｄ４に基づいて、制御する家電３００を操作パネル３０９に決定する。ステップＳ１２において、サーバ装置２００は、ステップＳ６にて選択された関連情報を含んだ制御命令を操作パネル３０９に送信する。
【００６７】
サーバ装置２００は、体重計１０３から受信していないと判断された場合（ステップＳ８においてＮＯ）、ステップＳ１４において、ペアリング情報Ｄ４に基づいて、制御する家電３００を冷蔵庫３０５に決定する。すなわち、サーバ装置２００は、体重計４０３から測定値を受信した場合、ステップＳ１４において、ペアリング情報Ｄ４に基づいて、制御する家電３００を冷蔵庫３０５に決定する。ステップＳ１６において、サーバ装置２００は、ステップＳ６にて選択された関連情報を含んだ制御命令を冷蔵庫３０５に送信する。
【００６８】
＜Ｆ．ハードウェア構成＞
図９は、サーバ装置２００のハードウェア構成の典型例を表した図である。図９を参照して、サーバ装置２００は、主たる構成要素として、プログラムを実行するＣＰＵ２５１と、データを不揮発的に格納するＲＯＭ２５２と、ＣＰＵ２５１によるプログラムの実行により生成されたデータ、又は入力装置を介して入力されたデータを揮発的に格納するＲＡＭ２５３と、データを不揮発的に格納するＨＤＤ２５４と、ＬＥＤ２５５と、スイッチ２５６と、通信ＩＦ（Interface）２５７と、電源回路２５８と、ディスプレイ２５９と、操作キー２６０とを含む。各構成要素は、相互にデータバスによって接続されている。
【００６９】
電源回路２５８は、コンセントを介して受信した商用電源の電圧を降圧し、サーバ装置２００の各部に電源供給を行なう回路である。スイッチ２５６は、電源回路２５８に給電を行なうか否かを切替えるための主電源用のスイッチ、およびその他の各種の押しボタンスイッチである。ディスプレイ２５９は、各種のデータを表示するためのデバイスである。
【００７０】
通信ＩＦ２５７は、トイレユニット１００から送信されたデータの受信処理、および家電３００に対するデータの送信処理を行なう。
【００７１】
ＬＥＤ２５５は、サーバ装置２００の動作状態を表す各種の表示ランプである。たとえば、ＬＥＤ２５５は、サーバ装置２００の主電源のオンまたはオフ状態、およびＨＤＤ２５４への読み出しまたは書き込み状態等を表す。操作キー２６０は、サーバ装置２００のユーザがサーバ装置２００へデータを入力するための用いるキー（キーボード）である。
【００７２】
サーバ装置２００における処理は、各ハードウェアおよびＣＰＵ２５１により実行されるソフトウェアによって実現される。このようなソフトウェアは、ＨＤＤ２５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ２５７等を介してダウンロードされた後、ＨＤＤ２５４に一旦格納される。そのソフトウェアは、ＣＰＵ２５１によってＨＤＤ２５４から読み出され、ＲＡＭ２５３に実行可能なプログラムの形式で格納される。ＣＰＵ２５１は、そのプログラムを実行する。
【００７３】
同図に示されるサーバ装置２００を構成する各構成要素は、一般的なものである。したがって、本発明の本質的な部分は、ＲＡＭ２５３、ＨＤＤ２５４、記憶媒体に格納されたソフトウェア、あるいはネットワークを介してダウンロード可能なソフトウェアであるともいえる。なお、サーバ装置２００の各ハードウェアの動作は周知であるので、詳細な説明は繰り返さない。
【００７４】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
［実施の形態２］
実施の形態１においては、トイレユニット１００の体重計１０３とトイレユニット１００の操作パネル３０９とが対応付けられている構成（図４参照）について説明したが、体重計１０３がトイレユニット１００の外の他の家電（たとえば、テレビ３０３）と対応付けられていてもよい。
【００７５】
このような構成により、トイレユニット１００の利用者に関連する関連情報を、トイレユニット１００以外で確認できる。なお、この場合には、トイレユニット１００を使用後に関連情報を確認できるように、家電３００による関連情報の出力タイミングを制御する必要がある。たとえば、テレビ３０３の電源をオンしたことをトリガ、冷蔵庫３０５の扉を開いたことをトリガ、あるいは、冷蔵庫３０５に設けられたボタンが押されたことをトリガとして、関連情報を出力するようにすればよい。
［実施の形態３］
実施の形態１においては、体重計１０３，４０３の各々が、１つの家電３００に対応付けられている構成（図４参照）について説明したが、これに限定されるものではない。体重計１０３，４０３の少なくとも１つが、複数の家電３００に対応付けられていてもよい。この場合には、当該複数の家電から関連情報が出力されることになる。したがって、関連情報を複数の家電３００により確認することができる。
［実施の形態４］
図６において示したデータテーブルＤ６において、ユーザが、携帯端末装置等から関連情報を追加できるように、制御システム１を構成してもよい。この構成によれば、ユーザが所望する関連情報が出力されるように、制御システム１をカスタマイズ可能となる。
［実施の形態５］
スケジュール情報Ｄ５において、各項目に対してユーザが秘密設定を行なえるように、制御システム１を構成してもよい。つまり、各情報について、当該項目を他人に非公開にすることを設定するための入力を受け付けるように、サーバ装置２００を構成してもよい。この場合には、玄関４００の体重計４０３によって個人認証がなされたときであっても、データテーブルＤ６（図６参照）において当該秘密設定がなされた項目（たとえば、「デート」）および当該秘密設定を行なった者（「子供」）に対応付けられた関連情報（たとえば、「デート、楽しみだね！」）を冷蔵庫３０５から出力しないように、サーバ装置２００を構成する。つまり、トイレユニット１００の体重計１０３によって個人認証がなされた場合のみ、秘密設定がなされた項目および当該秘密設定を行なった者に対応付けられた関連情報を操作パネル３０９から出力させるように、サーバ装置２００を構成する。
【００７６】
また、体重計１０３に対してトイレ外の家電３００が対応付けられる場合には、秘密設定がなされた項目および当該秘密設定を行なった者に対応付けられた関連情報をトイレ外の家電３００から出力させないように、サーバ装置２００を構成する。
【００７７】
このような構成により、家族に知られたくない情報を秘密にしておくことが可能となる。
［実施の形態６］
実施の形態１においては、関連情報として、文を出力する構成について説明したが、文の代わりにあるいは文とともに、音楽を出力するように、制御システム１を構成してもよい。この場合には、サーバ装置２００あるいは各家電３００に１または複数の音楽を記憶させておき、データテーブルＤ６において、関連情報として、音楽を指定するための識別子を記載しておけばよい。
［実施の形態７］
制御システム１においては体重および体脂肪率を体重計１０３，４０３で測定することにより個人認証を行なったが、体重計以外を用いて個人認証を行なう構成であってもよい。たとえば、筋肉量、骨密度、内臓脂肪量などについても、体重および体脂肪率と同時に測定し、これらの少なくとも1つを用いて個人認証する構成であってもよい。
【００７８】
＜まとめ＞
（１）制御システム１は、体重計１０３を利用した個人認証によって特定された個人に関連する関連情報を、宅内の複数の家電３００の中から指定された操作パネル３０９に出力させる。当該構成によれば、ユーザに関連する関連情報を当該ユーザが所望する家電（操作パネル３０９）に出力させることが可能となる。
【００７９】
（２）制御システム１は、体重計１０３による測定結果に基づいて個人認証を行なう。当該構成によれば、比較的簡易な方法で個人認証を行なうことができる。
【００８０】
（３）体重計１０３は、トイレユニット１００に設置されている。当該構成によれば、ユーザがトイレユニット１００を利用するだけで、個人認証を同時に行なうことが可能となる。つまり、ユーザは、個人認証のみの特別の動作（たとえば、指紋認証のためのセンサに対する指のタッチ）を行なう必要がなくなる。
【００８１】
（４）サーバ装置２００は、体重計１０３と操作パネル３０９とを対応付けたペアリング情報Ｄ４を記憶している。サーバ装置２００は、体重計１０３を利用した個人認証が行われた場合には、ペアリング情報Ｄ４において体重計１０３に対応付けられた操作パネル３０９に、関連情報を出力させる。当該構成によれば、ユーザに関連する関連情報を当該ユーザが所望する家電３００に出力させることが可能となる。
【００８２】
（５）サーバ装置２００は、複数の関連情報を予め記憶している（図６参照）。複数の関連情報の各々は、個人（父親、母親、子供）を識別するための識別子に対応付けられている（図６）。サーバ装置２００は、体重計１０３を用いた個人認証が行われた場合には、個人認証によって特定された個人の識別子に対応付けられた関連情報を、操作パネル３０９に出力させる。当該構成によれば、家族の各人に応じた関連情報を操作パネル３０９から出力させることができる。
【００８３】
（６）サーバ装置２００は、個人のスケジュールを表したスケジュール情報Ｄ５をさらに記憶している。サーバ装置２００は、複数の関連情報（データテーブルＤ６における関連情報）の中から、スケジュール情報Ｄ５に基づいて、操作パネル３０９に出力させる関連情報を選択する。当該構成によれば、個人のスケジュールに応じた関連情報を家電３００から出力させることが可能となる。
【００８４】
（７）制御システム１は、体重計４０３を利用した個人認証によって特定された個人に関連する関連情報を、複数の家電３００の中から指定された冷蔵庫３０５に出力させる。当該構成よれば、複数の体重計を利用した個人認証を行なうことができる。さらに、個人認証に利用した体重計に対応付けられた家電３００に関連情報を出力させることができる。
【００８５】
なお、制御システム１は、体重計４０３を利用した個人認証によって特定された個人に関連する関連情報を、冷蔵庫３０５の代わりに、複数の家電３００の中から指定された操作パネル３０９に出力させてもよい。
【００８６】
（８）サーバ装置２００は、体重計１０３と操作パネル３０９とを対応付けるとともに、体重計４０３と冷蔵庫３０５とを対応付けたペアリング情報Ｄ４を記憶している。サーバ装置２００は、体重計１０３を利用した個人認証が行われた場合には、ペアリング情報Ｄ４において体重計１０３に対応付けられた操作パネル３０９に、関連情報を出力させ、体重計４０３を利用した個人認証が行われた場合には、ペアリング情報Ｄ４において体重計４０３に対応付けられた冷蔵庫３０５に、関連情報を出力させる。当該構成によれば、個人認証に利用した体重計に対応付けられた家電３００に関連情報を出力させることができる。
【００８７】
（９）サーバ装置２００は、複数の関連情報の各々について、当該関連情報を他人に非公開にすることを設定するための入力を受け付けることが可能である。サーバ装置２００は、第１の電子機器（体重計１０３または体重計４０３）を用いた個人認証が行われた場合には、個人認証によって特定された個人の識別子に対応付けられた関連情報を非公開にする設定となっていないことを条件に、当該関連情報を第１の家電に出力させる。
【００８８】
典型的には、第１の電子機器は、トイレに設置された体重計１０３である。制御システム１は、体重計１０３による測定結果に基づいて個人認証を行なう。第１の家電は、トイレの外に設置されている。
【００８９】
上記の構成によれば、家族に知られたくない情報を秘密にしておくことが可能となる。
（１０）制御システム１は、体重計１０３を利用した個人認証によって特定された個人に関連する関連情報を、操作パネル３０９と、複数の家電の中から指定された他の家電（たとえば、テレビ３０３）とに出力させてもよい。当該構成によれば、ユーザは、関連情報を複数の家電３００により確認することができる。
【００９０】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９１】
１  制御システム、１００  トイレユニット、１０１  便器、１０３，４０３  体重計、２００  サーバ装置、２０１  時計、２０２  記憶部、２０３  受信部、２０４  個人認証部、２０５  選択部、２０６  送信先特定部、２０７  制御命令生成部、２０８  送信部、２５１  ＣＰＵ、２５２  ＲＯＭ、２５３  ＲＡＭ、３０１  エアーコンディショナ、３０２  照明器具、３０３  テレビ、３０４  電子レンジ、３０５  冷蔵庫、３０９  操作パネル、４００  玄関、４０１  玄関扉、４０２  室内床、Ｄ３  身体情報、Ｄ４  ペアリング情報、Ｄ５  スケジュール情報、Ｄ６  データテーブル。
【図１】
2016001840.tif 000003
【図２】
2016001840.tif 000004
【図３】
2016001840.tif 000005
【図４】
2016001840.tif 000006
【図５】
2016001840.tif 000007
【図６】
2016001840.tif 000008
【図７】
2016001840.tif 000009
【図８】
2016001840.tif 000010
【図９】
2016001840.tif 000011